(57)【特許請求の範囲】
【請求項１】
ユーザによって装着されたか否かを検知する光学的検知手段をフレームに備えた電気的に機能制御を行う電子メガネであって、
上記光学的検知手段は、装着時におけるユーザを検知する検知光を出射する出射手段と、
上記出射手段から出射され、ユーザによって反射された上記検知光を受光する受光手段とを有しており、
上記光学的検知手段による検知結果に応じて装置電源のＯＮまたはＯＦＦの切り替えを制御する制御手段をさらに備え、
上記光学的検知手段は、装着時におけるユーザの視線方向に向かって回動可能に取り付けられた、上記フレームのレンズを保持する部分に配置されており、
上記制御手段は、上記出射手段から出射された上記検知光が上記受光手段で受光されないとき、装置電源をＯＦＦにすることを特徴とする電子メガネ。
【請求項２】
上記出射手段は、上記検知光を間欠的に出射することを特徴とする請求項１に記載の電子メガネ。
【請求項３】
上記出射手段は、装置電源のＯＮ／ＯＦＦにかかわらず、上記検知光を恒常的に出射することを特徴とする請求項１または２に記載の電子メガネ。
【請求項４】
上記制御手段は、上記出射手段から出射された上記検知光が上記受光手段で受光されたとき、装置電源をＯＮにすることを特徴とする請求項１から３の何れか１項に記載の電子メガネ。
【請求項５】
上記フレームに内蔵された充電池の充電を制御する充電制御手段を備え、
上記充電制御手段は、上記出射手段から出射された上記検知光が上記受光手段で受光されたとき、上記充電池の充電を停止させることを特徴とする請求項１から４の何れか１項に記載の電子メガネ。
【発明の詳細な説明】
【技術分野】
【０００１】
本発明は、電気的に機能制御を行う電子メガネに関するものであり、より詳細には、ユーザによって装着されているか否かを光学的に検知して電源のＯＮ／ＯＦＦを自動的に切り替える電子メガネに関するものである。
【背景技術】
【０００２】
従来、液晶シャッターレンズを備えた立体画像用メガネを装着して、ＴＶ（Television）やＰＣ（Personal Computer）などの表示装置のディスプレイに表示された画像を立体視する技術が知られている。このような立体視技術では、表示装置のディスプレイに右視野用画像と左目視野用画像とが交互に表示され、右視野用画像が表示される間は立体画像用メガネの右目レンズの液晶シャッターが開き、左視野用画像が表示される間は立体画像用メガネの左目レンズの液晶シャッターが開くという動作を繰り返すことで、ユーザは立体的に画像を見ることが可能となる。
【０００３】
図１２は、従来の立体画像用メガネ１００を示す斜視図である。図１２に示されるように、立体画像用メガネ１００は、右目レンズ１１２、左目レンズ１１３、制御回路収納部１１４、同期信号受信部１１５、および電池収納部１１６が、フレーム１１１に設けられている。
【０００４】
立体画像用メガネ１００では、ＴＶやＰＣから送信されるフレームが切り替わるタイミングを示す同期信号が、フレーム１１１のブリッジ部分に設けられた同期信号受信部１１５で受信され、制御回路収納部１１４に収納された制御回路に送られる。そして、制御回路は、同期信号を解析して右目レンズ１１２および左目レンズ１１３の開閉動作を制御することで、表示装置に表示された画像とレンズの開閉とを同期させる基本動作を行う。
【０００５】
通常、図１２に示されるような従来の立体画像用メガネは、電源切替スイッチを備えており、電源切替スイッチがＯＮのときに上述した動作を行い、電源切替スイッチがＯＦＦのときに動作を停止する。
【０００６】
また、電源切替スイッチがＯＮの状態で、表示装置から送信される同期信号や、右目情報信号および左目情報信号などを所定時間受信しない場合には、不要な電力消費を低減するために自動的に電源をＯＦＦにする機能を備えた立体画像用メガネが実用化されている。
【０００７】
ところが、電源切替スイッチを操作によらず自動的に電源をＯＦＦにした場合、ユーザは装着している立体画像用メガネが動作中であるとの認識を持つことがあり、立体画像用メガネの動作状態とユーザの認識との間に不一致が生じるという問題がある。
【０００８】
このような問題に関連して、電源切替スイッチを用いず、ユーザによって装着されているか否かを検知して自動的に電源のＯＮ／ＯＦＦを切り替える技術が提案されている。例えば、特許文献１には、フレームの鼻パッドにスイッチを内蔵し、装着時にユーザの鼻によって鼻パッドが押圧されることで自動的に電源をＯＮに切り替える遠近両用機能を有する電子メガネが開示されている。
【先行技術文献】
【特許文献】
【０００９】
【特許文献１】特開２００７−２１２５０１号公報（２００７年８月２３日公開）
【特許文献２】特開２００２−２９７０８８号公報（２００２年１０月９日公開）
【発明の概要】
【発明が解決しようとする課題】
【００１０】
ここで、立体画像用メガネでは、近視用、或いは乱視用などの矯正用メガネを日常的に使用するユーザが、当該矯正用メガネをかけた状態で立体画像用メガネを装着する場合が想定される。
【００１１】
しかしながら、特許文献１に開示された技術では、鼻パッドがユーザの鼻に接触することが必須となるため、特許文献１に開示された技術を立体画像用メガネに適用すると、以下の問題を生じる。即ち、特許文献１に開示された技術では、ユーザが矯正用メガネをかけた状態で立体画像用メガネを装着した場合、ユーザの鼻と鼻パッドとが接触せず、ユーザによる立体画像用メガネの装着／非装着を適切に検知することができないという問題が生じ得る。
【００１２】
本発明は、上記従来の問題点に鑑みなされたものであって、その目的は、矯正用メガネの使用の有無にかかわらず、ユーザによって装着されたか否かを適切に検知可能な電子メガネを実現することにある。
【課題を解決するための手段】
【００１３】
ユーザによって装着されたか否かを検知する光学的検知手段をフレームに備えた電気的に機能制御を行う電子メガネであって、上記光学的検知手段は、装着時におけるユーザを検知する検知光を出射する出射手段と、上記出射手段から出射され、ユーザによって反射された上記検知光を受光する受光手段とを有しており、上記光学的検知手段による検知結果に応じて装置電源のＯＮまたはＯＦＦの切り替えを制御する制御手段をさらに備え、上記光学的検知手段は、装着時におけるユーザの視線方向に向かって回動可能に取り付けられた、上記フレームのレンズを保持する部分に配置されており、上記制御手段は、上記出射手段から出射された上記検知光が上記受光手段で受光されないとき、装置電源をＯＦＦにすることを特徴としている。
【００１４】
上記発明によれば、フレームに備えられた出射手段から出射された検知光は、ユーザによって反射されることで、受光手段で受光される構成である。このため、ユーザが電子メガネを装着している場合、出射手段から出射された検知光はユーザによって反射され、受光手段で受光される。一方、ユーザが電子メガネを装着していない場合、出射手段から出射された検知光はユーザによって反射されず、このため受光手段で受光されない。
【００１５】
このように、上記発明では、光学的検知手段はユーザに接触することなく、検知光の検知結果に応じて、ユーザによって電子メガネが装着されているか否かを検知することが可能である。
【００１６】
従って、上記発明によれば、矯正用メガネの使用の有無にかかわらず、ユーザによって装着されているか否かを適切に検知可能な電子メガネを実現することができる。
また、上記発明では、光学的検知手段は、装着時におけるユーザの視線方向に向かって回動可能に取り付けられた、フレームのレンズを保持する部分に配置されており、制御手段は、出射手段から出射された検知光が受光手段で受光されないとき、装置電源をＯＦＦにする構成である。
上記発明によれば、光学的検知手段はフレームのレンズを保持する部分に配置され、当該部分が回動可能に取り付けられた構成であるため、例えば、レンズを跳ね上げた場合、光学的検知手段はレンズと共に移動し、ユーザに対する光学的検知手段の相対的な位置が変化する。従って、レンズを跳ね上げた状態では、出射手段から出射された検知光は受光手段で受光されないため、装置電源を自動的にＯＦＦにすることができる。これにより、不要な電力消費を低減することができる。
【００１７】
また、本発明に係る電子メガネでは、上記出射手段は、上記検知光を間欠的に出射することが好ましい。
【００１８】
上記発明によれば、出射手段は、間欠的に検知光を出射する構成である。このため、検知光を連続的に出射させる構成と比べて消費電力を低減することができる。
【００１９】
また、本発明に係る電子メガネでは、上記出射手段は、装置電源のＯＮ／ＯＦＦにかかわらず、上記検知光を恒常的に出射することが好ましい。
【００２０】
また、本発明に係る電子メガネでは、上記制御手段は、上記出射手段から出射された上記検知光が上記受光手段で受光されたとき、装置電源をＯＮにすることが好ましい。
【００２１】
上記発明によれば、出射手段は装置電源のＯＮ／ＯＦＦにかかわらず、検知光を恒常的に出射し、制御手段は出射手段から出射された検知光が受光手段で受光されたとき、電子メガネの電源をＯＮにする構成である。即ち、制御手段は、ユーザが電子メガネを装着したタイミングまたはレンズを下げたタイミングで電源をＯＮに切り替える構成である。
【００２２】
これにより、矯正用メガネの使用の有無にかかわらず、ユーザによる装着状態を適切に検知して、自動的に電源をＯＮに切り替える電子メガネを実現することができる。
【００３１】
また、本発明に係る電子メガネでは、上記フレームに内蔵された充電池の充電を制御する充電制御手段を備え、上記充電制御手段は、上記出射手段から出射された上記検知光が上記受光手段で受光されたとき、上記充電池の充電を停止させることが好ましい。
【００３２】
上記発明によれば、充電制御手段は、出射手段から出射された検知光が受光手段で受光されたとき、充電池の充電を停止させる構成である。即ち、充電制御手段は、電子メガネの電源がＯＮであり、動作状態にある場合、充電池の充電を停止させる構成である。
【００３３】
これにより、回路や充電池の不具合などにより充電池が過充電状態となることで、充電池からガスが発生したり、充電池内部の液が漏れたりするトラブルを未然に防止することができる。
【発明の効果】
【００３４】
以上のように、本発明に係る電子メガネは、ユーザによって装着されたか否かを検知する光学的検知手段をフレームに備えた電気的に機能制御を行う電子メガネであって、上記光学的検知手段は、装着時におけるユーザを検知する検知光を出射する出射手段と、上記出射手段から出射され、ユーザによって反射された上記検知光を受光する受光手段とを有しており、上記光学的検知手段による検知結果に応じて装置電源のＯＮまたはＯＦＦの切り替えを制御する制御手段をさらに備え、上記光学的検知手段は、装着時におけるユーザの視線方向に向かって回動可能に取り付けられた、上記フレームのレンズを保持する部分に配置されており、上記制御手段は、上記出射手段から出射された上記検知光が上記受光手段で受光されないとき、装置電源をＯＦＦにする。
【００３５】
それゆえ、不要な電力消費を低減することができる電子メガネを提供することができるという効果を奏する。
【図面の簡単な説明】
【００３６】
【図１】本発明に係る立体画像用メガネの一実施形態の外観を示す斜視図である。
【図２】図１に示される立体画像用メガネの要部構成を示すブロック図である。
【図３】図１に示される立体画像用メガネの装着時の状態を示す上面図である。
【図４】図１に示される立体画像用メガネの非装着時の状態を示す上面図である。
【図５】図１に示される図立体画像用メガネの装着時における検知光Ｓを示すタイミングチャートであり、（ａ）はＬＥＤによって出射される検知光Ｓを示し、（ｂ）はＰＤによって受光される検知光Ｓを示している。
【図６】図１に示される立体画像用メガネの非装着時における検知光Ｓを示すタイミングチャートであり、（ａ）はＬＥＤによって出射される検知光Ｓを示し、（ｂ）はＰＤによって受光される検知光Ｓを示している。
【図７】図１に示される立体画像用メガネの装着時において間欠的に出射された検知光Ｓを示すタイミングチャートであり、（ａ）はＬＥＤによって出射される検知光Ｓを示し、（ｂ）はＰＤによって受光される検知光Ｓを示している。
【図８】図１に示される立体画像用メガネの非装着時において間欠的に出射された検知光Ｓを示すタイミングチャートであり、（ａ）はＬＥＤによって出射される検知光Ｓを示し、（ｂ）はＰＤによって受光される検知光Ｓを示している。
【図９】図１に示される立体画像用メガネにおける電源のＯＮ／ＯＦＦを切り替える制御を示すタイミングチャートであり、（ａ）はＬＥＤによって出射される検知光Ｓの光量を示し、（ｂ）はＰＤによって受光される検知光Ｓの光量を示し、（ｃ）は制御部によって制御される電源のＯＮ／ＯＦＦの切り替えを示している。
【図１０】図１に示される立体画像用メガネの第１の変形例を示す概略図である。
【図１１】図１に示される立体画像用メガネの第２の変形例を示す概略図である。
【図１２】従来の立体画像用メガネの構成を示す外観図である。
【発明を実施するための形態】
【００３７】
本発明に係る電子メガネの一実施形態について、図１〜図１１を参照して説明すれば、以下のとおりである。本実施形態では、本発明に係る電子メガネを立体画像用メガネに適用した場合について説明する。
〔１〕立体画像用メガネの構成
まず、本実施形態に係る立体画像用メガネの構成について、図１〜図４を参照して説明する。本実施形態に係る立体画像用メガネは、ＴＶ（Television）やＰＣ（Personal Computer）などの表示装置から送信される右視野用画像、および左目視野用画像の同期信号を受信し、表示装置において右視野用画像が表示される間は立体画像用メガネの右目レンズの液晶シャッターを開き、左視野用画像が表示される間は立体画像用メガネの左目レンズの液晶シャッターを開くという動作を交互に繰り返すことで、立体視を可能にするものである。
【００３８】
図１は本実施形態に係る立体画像用メガネ１ａの外観を示す斜視図であり、図２は図１に示される立体画像用メガネ１ａの要部構成を示すブロック図である。図２に示されるように、立体画像用メガネ１ａは、右目レンズ１２、左目レンズ１３、同期信号受信部１５、ＬＥＤ（Light Emitting Diode：出射手段）１７、ＰＤ（Photo Diode：受光手段）１８、および制御回路２０を備えている。
【００３９】
右目レンズ１２および左目レンズ１３は、電圧印加によって開閉が制御可能な液晶シャッターレンズである。右目レンズ１２および左目レンズ１３は、同期信号受信部１５によって受信された同期信号に基づいて、液晶シャッターの開閉タイミングが制御される。
【００４０】
同期信号受信部１５は、ＴＶやＰＣのディスプレイなどの表示装置から送信されるフレームが切り替わるタイミングを示す同期信号などを受信するものである。同期信号受信部１５は、表示装置から同期信号を受信可能な位置に設けられており、本実施形態では、フレーム１１のブリッジ部分に設けられている。
【００４１】
ＬＥＤ１７およびＰＤ１８は、立体画像用メガネ１ａがユーザによって装着されているか否かを検出するための光学的検知部である。
【００４２】
ＬＥＤ１７は、ユーザを検知するための検知光Ｓを所定のタイミングで出射する発光素子である。ＬＥＤ１７は、制御回路２０から出力される制御信号に基づいて、立体画像用メガネ１ａがユーザによって装着されているか否かを検出するための検知光Ｓを出射する。なお、本実施形態では、発光素子としてＬＥＤ１７を用いているが、本発明はこれに限定されない。ＬＥＤ１７に代えて、他の発光素子を適用することも可能である。
【００４３】
ＰＤ１８は、ＬＥＤ１７によって出射され、ユーザによって反射された検知光Ｓを受光する受光素子である。ＰＤ１８は検知光Ｓを受光したとき、受光した検知光Ｓの光量を含む検知信号を制御回路２０に出力する。なお、本実施形態では、受光素子としてＰＤ１８を用いているが、本発明はこれに限定されない。ＰＤ１８に代えて、他の受光素子を適用することも可能である。
【００４４】
制御回路２０は、立体画像用メガネ１ａ全体の動作を制御するものであり、本実施形態では、フレーム１１のテンプル部分に設けられた制御回路収納部１４に格納されている。制御回路２０は、制御部２１、およびレンズドライバ２２を備えている。
【００４５】
制御部２１は、立体画像用メガネ１ａの各部を制御するものである。具体的には、制御部２１は、ＬＥＤ１７を制御して、検知光Ｓを出射させる。また、制御部２１は、ＰＤ１８から所定レベル以上の光量を示す検知信号が出力されたとき、ユーザによって立体画像用メガネ１ａが装着されていると判断し、立体画像用メガネ１ａの電源をＯＮにする。そして、制御部２１は、検知信号が出力されている間、レンズドライバ２２を制御して所定の処理を実行させる。一方、制御部２１は、ＰＤ１８からの検知信号の出力が停止したとき、ユーザが立体画像用メガネ１ａの使用を終えたと判断し、立体画像用メガネ１ａの電源をＯＦＦにして、レンズドライバ２２の動作を停止させる。そして、次にＰＤ１８から所定レベル以上の光量を示す検知信号が出力されるまで、電源をＯＦＦの状態に維持する。このように、制御部２１は、ＰＤ１８から出力される検知信号に基づいて立体画像用メガネ１ａの電源のＯＮ／ＯＦＦの切り替えを制御する。
【００４６】
また、制御部２１は、電池収納部１６に格納された充電池（図示省略）の充電を制御する。例えば、制御部２１は、立体画像用メガネ１ａの電源がＯＮであり、動作状態にある場合、充電池の充電を停止させる。これにより、制御回路２０や充電池の不具合などにより充電池が過充電状態となることで、充電池からガスが発生したり、充電池内部の液が漏れたりするトラブルを未然に防止することができる。
【００４７】
なお、制御部２１は、立体画像用メガネ１ａの電源のＯＮ／ＯＦＦにかかわらず、周期的にＬＥＤ１７から検知光Ｓを出射させることで、ユーザによって立体画像用メガネ１ａが装着されたか否かを適宜検知する。
【００４８】
レンズドライバ２２は、右目レンズ１２および左目レンズ１３に電圧を印加することにより、それぞれの液晶シャッターの開閉を制御する。具体的には、レンズドライバ２２は、同期信号受信部１５によって受信された同期信号に基づいて、右目レンズ１２および左目レンズ１３の液晶シャッターの開閉タイミングを制御する。これにより、表示装置のディスプレイに表示された右視野用画像および左目視野用画像と、右目レンズ１２および左目レンズ１３の液晶シャッターの開閉とを同期させることができる。
【００４９】
図３は、図１に示される立体画像用メガネ１ａの装着時の状態を示す上面図である。図３に示されるように、立体画像用メガネ１ａがユーザに装着された状態では、ＬＥＤ１７から出射された検知光Ｓは、ユーザの頭部Ｈで反射された後、ＰＤ１８で受光される。このため、制御部２１にはＰＤ１８から検知信号が出力される。これにより、制御部２１は、ＰＤ１８から検知信号が出力されている間、ユーザによって立体画像用メガネ１ａが装着されていると判断し、レンズドライバ２２を制御して右目レンズ１２および左目レンズ１３を動作させる。即ち、立体画像用メガネ１ａの電源がＯＮの状態を維持する。
【００５０】
なお、ＬＥＤ１７およびＰＤ１８は、ユーザの頭部Ｈで反射された検知光ＳがＰＤ１８によって受光可能なようにそれぞれ位置決めされており、本実施形態では、フレーム１１のテンプル部分に設けられた制御回路収納部１８に備えられている。
【００５１】
図４は、図１に示される立体画像用メガネ１ａの非装着時の状態を示す上面図である。図４に示されるように、立体画像用メガネ１ａが装着されていない状態では、ＬＥＤ１７から出射された検知光Ｓは反射されることなくそのまま直進する。このため、検知光ＳはＰＤ１８によって受光されず、制御部２１にはＰＤ１８から検知信号が出力されない。これにより、制御部２１は、ユーザによって立体画像用メガネ１ａが装着されていないと判断し、ＰＤ１８から検知信号が出力されるまで、レンズドライバ２２の動作を停止させた状態、即ち、立体画像用メガネ１ａの電源がＯＦＦの状態を維持する。
【００５２】
このように、本実施形態に係る立体画像用メガネ１ａは、光学的物体検知部であるＬＥＤ１７およびＰＤ１８によって、立体画像用メガネ１ａのユーザによる装着／非装着状態を検知する構成である。光学的物体検知部は、ユーザと直接接触することなくユーザを検知することが可能であるため、例えば、近視用、或いは乱視用などの矯正用メガネを日常的に使用するユーザが、当該矯正用メガネをかけた状態で立体画像用メガネを装着する場合であっても、ユーザを適切に検知することができる。
【００５３】
〔２〕立体画像用メガネのユーザ検知処理
次に、立体画像用メガネ１ａのユーザを検知する処理について、図５〜図９を参照して説明する。
【００５４】
図５は立体画像用メガネ１ａの装着時における検知光Ｓを示すタイミングチャートであり、（ａ）はＬＥＤ１７によって出射される検知光Ｓを示し、（ｂ）はＰＤ１８によって受光される検知光Ｓを示している。立体画像用メガネ１ａがユーザに装着されている状態では、図５（ａ）に示されるように、ＬＥＤ１７によって出射された検知光Ｓは、ユーザによってＰＤ１８の方向に反射される。このため、図５（ｂ）に示されるように、検知光ＳがＰＤ１８によって受光される。この場合、ＰＤ１８から制御部２１に検知信号が出力されるため、制御部２１は検知信号が出力されている間、立体画像用メガネ１ａの電源をＯＮにして、レンズドライバ２２を動作させる。
【００５５】
図６は立体画像用メガネ１ａの非装着時における検知光Ｓを示すタイミングチャートであり、（ａ）はＬＥＤ１７によって出射される検知光Ｓを示し、（ｂ）はＰＤ１８によって受光される検知光Ｓを示している。立体画像用メガネ１ａがユーザに装着されていない状態では、図６（ａ）に示されるように、ＬＥＤ１７によって出射された検知光Ｓは、ユーザによって反射されることなく、そのまま直進する。このため、図６（ｂ）に示されるように、ＰＤ１８によって検知光Ｓは受光されない。この場合、ＰＤ１８から制御部２１に検知信号が出力されないため、制御部２１は、立体画像用メガネ１ａの電源をＯＦＦにして、レンズドライバ２２を停止せる。
【００５６】
図７は立体画像用メガネ１ａの装着時において間欠的に出射された検知光Ｓを示すタイミングチャートであり、（ａ）はＬＥＤ１７によって出射される検知光Ｓを示し、（ｂ）はＰＤ１８によって受光される検知光Ｓを示している。立体画像用メガネ１ａがユーザに装着されている状態では、図７（ａ）に示されるように、ＬＥＤ１７によって出射された検知光Ｓは、ユーザによってＰＤ１８の方向に反射される。このため、図７（ｂ）に示されるように、間欠的に出射された検知光ＳがＰＤ１８によって受光される。この場合、ＰＤ１８から制御部２１に検知信号が出力されるため、制御部２１は検知信号が出力されている間、立体画像用メガネ１ａの電源をＯＮにして、レンズドライバ２２を動作させる。
【００５７】
図８は立体画像用メガネ１ａの非装着時において間欠的に出射された検知光Ｓを示すタイミングチャートであり、（ａ）はＬＥＤ１７によって出射される検知光Ｓを示し、（ｂ）はＰＤ１８によって受光される検知光Ｓを示している。立体画像用メガネ１ａがユーザに装着されていないとき、図８（ａ）に示されるように、ＬＥＤ１７によって間欠的に出射された検知光Ｓは、ユーザによって反射されることなく、そのまま直進する。このため、図８（ｂ）に示されるように、ＰＤ１８によって検知光Ｓは受光されない。この場合、ＰＤ１８から制御部２１に検知信号が出力されないため、制御部２１は、立体画像用メガネ１ａの電源をＯＦＦにして、レンズドライバ２２を停止せる。
【００５８】
このように、検知光Ｓを間欠的に出射する構成であれば、消費電力を低減することができるため、立体画像用メガネ１ａの稼動時間を長くすることができる。
【００５９】
図９は、図１に示される立体画像用メガネにおける電源のＯＮ／ＯＦＦを切り替える制御を示すタイミングチャートであり、（ａ）はＬＥＤ１７によって出射される検知光Ｓの光量を示し、（ｂ）はＰＤ１８によって受光される検知光Ｓの光量を示し、（ｃ）は制御部２１によって制御される電源のＯＮ／ＯＦＦの切り替えを示している。図９（ａ）〜（ｃ）に示されるように、制御部２１は、立体画像用メガネ１ａの電源がＯＦＦの状態でＰＤ１８から検知信号が出力されたとき、立体画像用メガネ１ａの電源をＯＦＦからＯＮに切り替えて、レンズドライバ２２を動作させる。即ち、制御部２１は、ユーザが立体画像用メガネ１ａを装着したタイミングで、立体画像用メガネ１ａの電源をＯＦＦからＯＮに切り替える。そして、制御部２１は、ＰＤ１８から検知信号が出力される間、立体画像用メガネ１ａの電源をＯＮに維持する。
【００６０】
また、制御部２１は、ＰＤ１８からの検知信号の出力が停止したとき、立体画像用メガネ１ａの電源をＯＮからＯＦＦに切り替えて、レンズドライバ２２を停止させる。即ち、制御部２１は、ユーザが立体画像用メガネ１ａを取り外したタイミングで、立体画像用メガネ１ａの電源をＯＮからＯＦＦに切り替える。これにより、ユーザによる立体画像用メガネ１ａの装着／非装着に応じて電源のＯＮ／ＯＦＦを切り替えることができる。
【００６１】
〔３〕まとめ
以上のように、立体画像用メガネ１ａは、ユーザによって装着されたか否かを検知する光学的検知部をフレーム１１に備えた電気的に機能制御を行う電子メガネであって、光学的検知部は、装着時におけるユーザを検知する検知光Ｓを出射するＬＥＤ１７と、ＬＥＤ１７から出射され、ユーザによって反射された検知光Ｓを受光するＰＤ１８とを備える。
【００６２】
立体画像用メガネ１ａによれば、フレーム１１に備えられたＬＥＤ１７から出射された検知光Ｓは、ユーザによって反射されることで、ＰＤ１８で受光される。このため、ユーザが立体画像用メガネ１ａを装着している場合、ＬＥＤ１７から出射された検知光Ｓはユーザによって反射され、ＰＤ１８で受光される。一方、ユーザが立体画像用メガネ１ａを装着していない場合、ＬＥＤ１７から出射された検知光Ｓはユーザによって反射されず、このためＰＤ１８で受光されない。
【００６３】
このように、立体画像用メガネ１ａでは、光学的検知部はユーザに接触することなく、検知光Ｓの検知結果に応じて、ユーザによって立体画像用メガネ１ａが装着されているか否かを検知することが可能である。
【００６４】
それゆえ、本実施形態によれば、矯正用メガネの使用の有無にかかわらず、ユーザによって装着されているか否かを適切に検知可能な立体画像用メガネ１ａを実現することができる。
【００６５】
〔４〕変形例
本実施形態では、光学的検知部としてＬＥＤ１７およびＰＤ１８が、立体画像用メガネ１ａのフレーム１１のテンプル部分に配置された構成について説明した本発明はこれに限定されない。例えば、図１０に示されるように、ＬＥＤ１７およびＰＤ１８がフレーム１１のリム部分に配置される構成であってもよい。
【００６６】
図１０は、本実施形態に係る立体画像用メガネ１ａの第１の変形例を示す概略図である。図１０に示されるように、立体画像用メガネ１ｂは、右目レンズ１２および左目レンズ１３を保持するフレーム１１のリム部分が回動可能にフレーム１１のテンプル部分に取り付けられたレンズ跳ね上げ式のメガネとして構成されている。このようなレンズ跳ね上げ式の立体画像用メガネ１ｂでは、ＬＥＤ１７およびＰＤ１８は、フレーム１１のリム部分に配置され、右目レンズ１２および左目レンズ１３と共にユーザに対する相対的な位置を変化させる構成であることが好ましい。
【００６７】
これにより、右目レンズ１２および左目レンズ１３が跳ね上げられた状態では、ＬＥＤ１７から出射された検知光Ｓは、ユーザの頭部Ｈによって反射されないためＰＤ１８で受光されず、制御部２１は立体画像用メガネ１ｂの電源をＯＦＦにして、レンズドライバ２２を停止せることが可能となる。これにより、立体画像用メガネ１ｂの不要な消費電力を低減させて、稼働時間を長くすることができる。
【００６８】
また、図１１に示されるように、ＬＥＤ１７およびＰＤ１８がフレーム１１のブリッジ部分に配置される構成であってもよい。
【００６９】
図１１は、本実施形態に係る立体画像用メガネ１ａの第２の変形例を示す概略図である。図１１に示されるように、立体画像用メガネ１ｃは、ＬＥＤ１７およびＰＤ１８がフレーム１１のブリッジ部分に配置される構成である。このように、ＬＥＤ１７およびＰＤ１８を配置する位置は、ＬＥＤ１７から出射され、ユーザによって反射された検知光ＳがＰＤ１８によって受光可能なように位置決めされていれば、特に限定されない。
【００７０】
本発明は、上述した各実施形態に限定されるものではなく、請求項に示した範囲で種々
の変更が可能であり、異なる実施形態にそれぞれ開示された技術的手段を適宜組み合わせて得られる実施形態についても本発明の技術的範囲に含まれる。
〔補足〕
なお、本発明は、以下のように表現することも可能である。即ち、本発明に係る電子メガネは、ユーザによって装着されたか否かを検知する光学的検知手段をフレームに備えた電気的に機能制御を行う電子メガネであって、上記光学的検知手段は、装着時におけるユーザを検知する検知光を出射する出射手段と、上記出射手段から出射され、ユーザによって反射された上記検知光を受光する受光手段とを備えることを特徴としている。
上記発明によれば、フレームに備えられた出射手段から出射された検知光は、ユーザによって反射されることで、受光手段で受光される構成である。このため、ユーザが電子メガネを装着している場合、出射手段から出射された検知光はユーザによって反射され、受光手段で受光される。一方、ユーザが電子メガネを装着していない場合、出射手段から出射された検知光はユーザによって反射されず、このため受光手段で受光されない。
このように、上記発明では、光学的検知手段はユーザに接触することなく、検知光の検知結果に応じて、ユーザによって電子メガネが装着されているか否かを検知することが可能である。
従って、上記発明によれば、矯正用メガネの使用の有無にかかわらず、ユーザによって装着されているか否かを適切に検知可能な電子メガネを実現することができる。
また、本発明に係る電子メガネでは、上記出射手段は、上記検知光を間欠的に出射することが好ましい。
上記発明によれば、出射手段は、間欠的に検知光を出射する構成である。このため、検知光を連続的に出射させる構成と比べて消費電力を低減することができる。
また、本発明に係る電子メガネでは、上記出射手段は、装置電源のＯＮ／ＯＦＦにかかわらず、上記検知光を恒常的に出射することが好ましい。
また、本発明に係る電子メガネでは、上記光学的検知手段による検知結果に応じて装置電源のＯＮまたはＯＦＦの切り替えを制御する制御手段を備え、上記制御手段は、上記出
射手段から出射された上記検知光が上記受光手段で受光されたとき、装置電源をＯＮにすることが好ましい。
上記発明によれば、出射手段は装置電源のＯＮ／ＯＦＦにかかわらず、検知光を恒常的に出射し、制御手段は出射手段から出射された検知光が受光手段で受光されたとき、電子メガネの電源をＯＮにする構成である。即ち、制御手段は、ユーザが電子メガネを装着したタイミングで電源をＯＮに切り替える構成である。
これにより、矯正用メガネの使用の有無にかかわらず、ユーザによる装着状態を適切に検知して、自動的に電源をＯＮに切り替える電子メガネを実現することができる。
また、本発明に係る電子メガネでは、上記制御手段は、上記出射手段から出射された上記検知光が上記受光手段で受光されないとき、電源をＯＦＦにすることが好ましい。
上記発明によれば、制御手段は、出射手段から出射された検知光が受光手段で受光されないとき、電子メガネの電源をＯＦＦにする構成である。即ち、制御手段は、ユーザが電子メガネを取り外したタイミングで電源をＯＦＦに切り替える構成である。
これにより、矯正用メガネの使用の有無にかかわらず、ユーザによる非装着状態を適切に検知して、自動的に電源をＯＦＦに切り替える電子メガネを実現することができる。
また、本発明に係る電子メガネでは、上記光学的検知手段は、上記フレームのレンズを保持するリム部分に配置されていることが好ましい。
また、本発明に係る電子メガネでは、上記フレームは、装着時におけるユーザの視線方向に向かって上記リム部分が回動可能に取り付けられていることが好ましい。
上記発明によれば、光学的検知手段はフレームのレンズを保持するリム部分に配置され、当該リム部分が回動可能に取り付けられた構成である。このため、例えば、リム部分を回動させてレンズを跳ね上げた場合、光学的検知手段はレンズと共に移動し、ユーザに対する光学的検知手段の相対的な位置が変化する。従って、レンズを跳ね上げた状態では、出射手段から出射された検知光は受光手段で受光されないため、装置電源を自動的にＯＦＦにすることができる。
これにより、不要な電力消費を低減することができる。
【産業上の利用可能性】
【００７１】
本発明は、立体画像用メガネのほか、可変焦点などの電子メガネなど電気的に機能制御を行う電子メガネに好適に利用することができる。
【符号の説明】
【００７２】
１ａ  立体画像用メガネ（電子メガネ）
１ｂ  立体画像用メガネ（電子メガネ）
１ｃ  立体画像用メガネ（電子メガネ）
１５    同期信号受信部
１７    ＬＥＤ（出射手段）
１８    ＰＤ（受光手段）
２１    制御部（制御手段・充電制御手段）
Ｓ    検知光
【図１】
0005341054.tif 000002
【図２】
0005341054.tif 000003
【図３】
0005341054.tif 000004
【図４】
0005341054.tif 000005
【図５】
0005341054.tif 000006
【図６】
0005341054.tif 000007
【図７】
0005341054.tif 000008
【図８】
0005341054.tif 000009
【図９】
0005341054.tif 000010
【図１０】
0005341054.tif 000011
【図１１】
0005341054.tif 000012
【図１２】
0005341054.tif 000013